(57)【特許請求の範囲】
【請求項１】
加熱し又は冷却した水を供給する冷温水器を、加熱した洗浄水により洗浄する加熱洗浄装置であって、
前記冷温水器に流す前記洗浄水を加熱する加熱手段と、
前記洗浄水の温度を検出する温度検出手段と、
前記冷温水器に前記洗浄水を循環させる循環路と、
前記循環路に前記洗浄水を循環させる循環ポンプと、
前記冷温水器と少なくとも動作情報の送受を行う通信手段と、
前記冷温水器内の洗浄水の温度に応じて前記冷温水器から発せられる動作情報を前記通信手段で受信し、この受信情報に基づいて前記加熱手段及び／又は前記循環ポンプを制御し、前記冷温水器に供給される前記洗浄水を所定温度以上に制御する制御部と、
を備えることを特徴とする加熱洗浄装置。
【請求項２】
請求項１記載の加熱洗浄装置において、
前記制御部は、前記循環ポンプの動作時間を計時する計時手段を備え、
洗浄を開始させる前記洗浄水の設定温度と洗浄開始までの所定時間を設定し、前記循環ポンプの動作開始から前記所定時間が経過した場合、前記洗浄水の温度が前記設定温度に達していれば前記加熱手段の動作を停止させ、前記設定温度に達していなければ前記加熱手段の加熱動作を維持することを特徴とする加熱洗浄装置。
【請求項３】
請求項２記載の加熱洗浄装置において、
前記制御部は、前記洗浄水の温度が前記設定温度に達した場合、処理時間を設定し、前記計時手段が前記処理時間を計時したら、前記循環ポンプを停止させることを特徴とする加熱洗浄装置。
【請求項４】
加熱し又は冷却した水を供給する冷温水器を、加熱した洗浄水により洗浄する加熱洗浄装置の制御方法であって、
前記洗浄水を加熱するステップと、
前記洗浄水の温度を検出するステップと、
前記冷温水器に前記洗浄水を循環させるステップと、
前記冷温水器内の洗浄水の温度に応じて前記冷温水器から発せられる動作情報を通信手段で受信し、この受信情報に基づいて加熱手段及び／又は循環ポンプを制御し、前記冷温水器に供給される前記洗浄水を所定温度以上に制御するステップと、
を含むことを特徴とする加熱洗浄装置の制御方法。
【請求項５】
加熱し又は冷却した水を供給する冷温水器を、加熱した洗浄水により洗浄する加熱洗浄システムであって、
前記冷温水器に連結されて前記洗浄水を前記冷温水器に供給して循環させ、前記洗浄水を所定温度以上に維持する加熱手段を備えた洗浄水供給手段と、
前記冷温水器と前記洗浄水供給手段の接続を監視する監視手段と、
を備え、前記監視手段が前記洗浄水供給手段の接続を検出した場合、前記冷温水器から前記洗浄水供給手段に前記洗浄水の供給を指示することを特徴とする加熱洗浄システム。
【請求項６】
請求項５記載の加熱洗浄システムにおいて、
前記冷温水器に、前記洗浄水を加熱する加熱手段とともに、前記洗浄水の温度検出手段を備え、前記洗浄水の検出温度に応じて前記加熱手段を制御し、前記冷温水器内で前記洗浄水の温度を所定温度以上に維持させることを特徴とする加熱洗浄システム。
【請求項７】
冷水が溜められる第１のタンクと、温水が溜められる第２のタンクとを備え、外部から洗浄水が供給される冷温水器であって、
前記洗浄水を循環させる循環手段と、
前記第２のタンク内に供給された前記洗浄水の温度を検出する温度検出手段と、
前記第２のタンク内の前記洗浄水を加熱する加熱手段と、
前記温度検出手段の検出温度に応じて前記加熱手段を制御し、前記洗浄水の温度を所定温度以上に維持する制御部と、
を備えることを特徴とする冷温水器。
【請求項８】
請求項７記載の冷温水器において、
前記制御部は、前記洗浄水が所定温度以上の場合に洗浄水供給手段に動作指示を出すことを特徴とする冷温水器。
【請求項９】
請求項７又は８記載の冷温水器において、  
前記制御部は、洗浄処理の時間を計時する計時手段を備え、前記温度検出手段の検出温度が所定温度に達している場合には、洗浄の処理時間を設定し、前記計時手段により前記処理時間が経過した場合、洗浄水供給手段に少なくとも前記洗浄水の供給停止を指示することを特徴とする冷温水器。
【発明の詳細な説明】
【技術分野】
【０００１】
本発明は、加熱し又は冷却した水を提供する冷温水器の洗浄に関し、特に、加熱した洗浄水により冷温水器を洗浄する加熱洗浄装置、その制御方法、加熱洗浄システム、及び冷温水器に関する。
【背景技術】
【０００２】
ミネラルウォーターを加熱又は冷却して提供する冷温水器では、内部に設置した配管やタンク内を清浄に維持するために、定期的に、例えば半年に１回若しくは１年に１回程度のペースで、メーカが回収し、冷温水器の洗浄を行っている。
【０００３】
このような冷温水器の洗浄に関し、特許文献１には、貯水タンク内部に殺菌用紫外線ランプを設置し、洗浄のためのメーカ回収の手間を省いた飲料用温水・冷水器が開示されている。
【０００４】
特許文献２には、冷水タンクや冷水経路に電気ヒータを取り付け、洗浄時に冷水経路を加熱殺菌するディスペンサが開示されている。
【０００５】
特許文献３には、貯水タンク、冷水タンク、温水タンクを持った飲料用給水機において、冷水吐出口及び温水吐出口に着脱可能な循環流入口が接続させて、温水タンク内の温水を全循環路内に循環させることが開示されている。
【特許文献１】特開２００３−０７２８９６公報（要約、図１等）
【特許文献２】特開平６−４８４８８号公報（要約、図１等）
【特許文献３】特開２００６−０９６３６２公報（要約、図１等）
【発明の開示】
【発明が解決しようとする課題】
【０００６】
ところで、飲料用温水・冷水器の殺菌に紫外線を利用したものでは、殺菌灯から紫外線が照射される場所（冷水タンク内）の清浄化や殺菌が行えるものの、貯水タンクから冷水タンクまでの管路の清浄化や殺菌をすることができないので、清浄化には不十分である。
【０００７】
また、加熱殺菌を行うために、冷水タンクや配管系統に１又は複数のヒータを設置するディスペンサでは、設置部品用のスペースや装置内の設置スペース等が必要となり、その分コスト高となるほか、装置が大型化することになる。
【０００８】
また、温水タンク内の温水を利用して清浄化を行う構成では、殺菌を行う所定温度まで温水の温度を加熱するのに、備え付けの温水加熱用のヒータでは時間がかかり、その分、洗浄処理に時間がかかることになる。また、ヒータの能力を上げると、イニシャル及びランニングコストがかかることになる。
【０００９】
斯かる要求や課題について、特許文献１〜３には開示や示唆は無く、それを解決する構成等についての記載もない。
【００１０】
そこで、このような課題に対して、本発明の目的は、冷温水器内の全ての管路に対する洗浄処理に関し、洗浄時間を短縮することにある。
【００１１】
また、本発明の他の目的は、加熱洗浄装置が提供する洗浄水を適温に維持管理することで、洗浄処理の適正化を図ることにある。
【００１２】
また、本発明の他の目的は、高温の洗浄水を供給する加熱洗浄装置の洗浄処理の作業性を向上させることにある。
【００１３】
また、本発明の他の目的は、加熱洗浄装置の制御の自動化を図ることにある。
【課題を解決するための手段】
【００１４】
上記目的を達成するため、本発明の加熱洗浄装置は、飲料水を提供する冷温水器との間で洗浄水を加熱して循環させ、その洗浄水の温度を監視し、所定温度以上になるように加熱手段を制御している。また、冷温水器内の洗浄水の温度監視に応じて、冷温水器側からの制御により加熱洗浄装置を制御している。斯かる構成により、上記目的を達成している。
【００１５】
そこで、上記目的を解決するため、本発明の第１の側面は、加熱し又は冷却した水を供給する冷温水器を、加熱した洗浄水により洗浄する加熱洗浄装置であって、前記冷温水器に流す前記洗浄水を加熱する加熱手段と、前記洗浄水の温度を検出する温度検出手段と、前記冷温水器に前記洗浄水を循環させる循環路と、前記循環路に前記洗浄水を循環させる循環ポンプと、前記冷温水器と少なくとも動作情報の送受を行う通信手段と、前記冷温水器内の洗浄水の温度に応じて前記冷温水器から発せられる動作情報を前記通信手段で受信し、この受信情報に基づいて前記加熱手段及び／又は前記循環ポンプを制御し、前記冷温水器に供給される前記洗浄水を所定温度以上に制御する制御部とを備える構成である。斯かる構成により、上記目的を達成することができる。
【００１６】
上記目的を達成するためには、上記加熱洗浄装置において、好ましくは、前記制御部は、前記循環ポンプの動作時間を計時する計時手段を備え、洗浄を開始させる前記洗浄水の設定温度と洗浄開始までの所定時間を設定し、前記循環ポンプの動作開始から前記所定時間が経過した場合、前記洗浄水の温度が前記設定温度に達していれば前記加熱手段の動作を停止させ、前記設定温度に達していなければ前記加熱手段の加熱動作を維持する構成としてもよい。斯かる構成によっても、上記目的を達成することができる。
【００１７】
上記目的を達成するためには、上記加熱洗浄装置において、好ましくは、前記制御部は、前記洗浄水の温度が前記設定温度に達した場合、処理時間を設定し、前記計時手段が前記処理時間を計時したら、前記循環ポンプを停止させる構成としてもよい。斯かる構成によっても、上記目的を達成することができる。
【００１９】
また、上記目的を解決するための、本発明の第２の側面は、加熱し又は冷却した水を供給する冷温水器を、加熱した洗浄水により洗浄する加熱洗浄装置の制御方法であって、前記洗浄水を加熱するステップと、前記洗浄水の温度を検出するステップと、前記冷温水器に前記洗浄水を循環させるステップと、前記冷温水器内の洗浄水の温度に応じて前記冷温水器から発せられる動作情報を通信手段で受信し、この受信情報に基づいて加熱手段及び／又は循環ポンプを制御し、前記冷温水器に供給される前記洗浄水を所定温度以上に制御するステップとを含む構成である。斯かる構成により、上記目的を達成することができる。
【００２０】
また、上記目的を解決するための、本発明の第３の側面は、加熱し又は冷却した水を供給する冷温水器を、加熱した洗浄水により洗浄する加熱洗浄システムであって、前記冷温水器に連結されて前記洗浄水を前記冷温水器に供給して循環させ、前記洗浄水を所定温度以上に維持する加熱手段を備えた洗浄水供給手段と、前記冷温水器と前記洗浄水供給手段の接続を監視する監視手段とを備え、前記監視手段が前記洗浄水供給手段の接続を検出した場合、前記冷温水器から前記洗浄水供給手段に前記洗浄水の供給を指示する構成である。斯かる構成により、上記目的を達成することができる。
【００２１】
上記目的を達成するためには、上記加熱洗浄システムにおいて、好ましくは、前記冷温水器に、前記洗浄水を加熱する加熱手段とともに、前記洗浄水の温度検出手段を備え、前記洗浄水の検出温度に応じて前記加熱手段を制御し、前記冷温水器内で前記洗浄水の温度を所定温度以上に維持させる構成としてもよい。斯かる構成によっても、上記目的を達成することができる。
【００２３】
また、上記目的を解決するための、本発明の第４の側面は、冷水が溜められる第１のタンクと、温水が溜められる第２のタンクとを備え、外部から洗浄水が供給される冷温水器であって、前記洗浄水を循環させる循環手段と、前記第２のタンク内に供給された前記洗浄水の温度を検出する温度検出手段と、前記第２のタンク内の前記洗浄水を加熱する加熱手段と、前記温度検出手段の検出温度に応じて前記加熱手段を制御し、前記洗浄水の温度を所定温度以上に維持する制御部とを備える構成である。斯かる構成により、上記目的を達成することができる。
【００２４】
上記目的を達成するためには、上記冷温水器において、好ましくは、前記制御部は、前記洗浄水が所定温度以上の場合に洗浄水供給手段に動作指示を出す構成としてもよい。斯かる構成によっても、上記目的を達成することができる。
【００２５】
上記目的を達成するためには、上記冷温水器において、好ましくは、前記制御部は、洗浄処理の時間を計時する計時手段を備え、前記温度検出手段の検出温度が所定温度に達している場合には、洗浄の処理時間を設定し、前記計時手段により前記処理時間が経過した場合、洗浄水供給手段に少なくとも前記洗浄水の供給停止を指示する構成としてもよい。斯かる構成によっても、上記目的を達成することができる。
【発明の効果】
【００２６】
本発明によれば、次のような効果を得られる。
【００２７】
(1) 本発明の加熱洗浄装置によれば、加熱した洗浄水により冷温水器の洗浄を行うことができ、洗浄時間を短縮できる。
【００２８】
(2) 本発明によれば、冷温水器内に設置された全ての管路に対して洗浄水が供給できる。
【００２９】
(3) 冷温水器内の洗浄水の温度監視に応じて、冷温水器側からの制御により加熱洗浄装置を制御することで、洗浄処理の作業手順を簡略化することができる。
【００３０】
(4) 冷温水器側からの制御で加熱洗浄装置を制御させる構成により、加熱洗浄装置の構成を簡易化できる。
【００３１】
(5) 加熱洗浄装置と冷温水器の少なくともどちらか一方で、洗浄水の温度監視を行うとともに、所定温度以上に制御することで、洗浄に必要な温度を維持することができる。
【発明を実施するための最良の形態】
【００３２】
〔第１の実施の形態〕
【００３３】
本発明の第１の実施の形態に係る加熱洗浄装置及び冷温水器の構成について、図１及び図２を参照して説明する。図１は、加熱洗浄装置の構成を示す図、図２は、冷温水器の構成を示す図である。
【００３４】
加熱洗浄装置２は、図１に示すように、洗浄水（湯、若しくは水）４を加熱して供給する洗浄水供給手段であって、その構成は、洗浄水４を溜めるタンク６と、このタンク６内に設置されて洗浄水４の加熱を行う電気ヒータ８と、加熱された洗浄水４を加熱洗浄装置２に接続した冷温水器１０（図２）へと圧送し、循環供給させる循環ポンプ１２とで構成されている。タンク６内で加熱された洗浄水４は往き側の循環路である冷水パイプ１４を通って冷温水器１０に送られる。そして、冷温水器１０内を通過した洗浄水４は戻り側の循環路である温水パイプ１６を通ってタンク６へと戻る。
【００３５】
温水パイプ１６には循環温度センサ１８が設置されており、冷温水器１０を通過してきた洗浄水４の温度検出を行っている。この循環温度センサ１８は、例えばサーミスタ温度計等を利用しており、水温検出を行える構成であればよい。
【００３６】
また、タンク６内には、電気ヒータ８に連動した空焚スイッチ（ＳＷ）２０が備えられている。この空焚ＳＷ２０は、例えば、温度スイッチで構成されており、タンク６内の温度が所定温度以上になっていることを検出した場合、タンク６内が空焚き状態となっている可能性があるとして、電源ヒータ８への通電を遮断させる構成である。この空焚ＳＷ２０はバイメタル方式で通電をＯＮ、ＯＦＦするのみであり、電気ヒータ８への通電は循環温度センサ１８の検出データにより制御される。
【００３７】
この加熱洗浄装置２の運転制御を行う構成として、電装基板からなる操作盤２２が備えられている。この操作盤２２は、例えば、加熱洗浄装置２の運転指示や設定を行う運転スイッチ（ＳＷ）２４のほか、運転中を知らせる運転ランプ２６、異常発生を知らせる報知手段であるアラームランプ２８等を備えている。この操作盤２２にはプラグ２９により例えば、１００〔Ｖ〕の交流電源が接続される。そして、温水パイプ１６上に設置した循環温度センサ１８からの検出温度データに基づいて電気ヒータ８による加熱処理や循環ポンプ１２の動作処理等を制御する。
【００３８】
その他、この加熱洗浄装置２から洗浄水４を排出する手段として、循環ポンプ１２には排水管３０が設置されており、この排水管３０には排水栓３２が備えられている。この排水栓３２の開閉により、排水口３４からの排水を制御している。
【００３９】
次に、冷温水器１０は、図２に示すように、飲料水３６を冷却又は加熱して、冷水又は温水を供給するものである。冷温水器１０には、飲料水３６が入ったボトルの一例として、例えば、ガロンボトル３８が天上板４０の中央にセットされ、この飲料水３６は、給水口４２を経て第１のタンクである冷水タンク４４に供給される。
【００４０】
この冷水タンク４４内には、飲料水３６を上下層に分離して溜める分離板４６が設置されている。また、この分離された冷水タンク４４の下層側には、冷却手段として例えば、蒸発器４８が設置されている。また、この冷温水器１０の底部には冷却装置５０として、コンプレッサ５２、乾燥器５４、凝縮器５６が冷媒管５８によって連結され、この冷媒管５８の途中にはキャピラリーチューブ６０が設置されている。さらに、冷水タンク４４には、その内部に溜まった飲料水３６等の温度を検出する第１の温度検出手段として、冷水センサ６２が設置されている。この冷水センサ６２は、例えばサーミスタ温度計を利用している。
【００４１】
冷水タンク４４の底部には、冷水電磁弁６４を備えた冷水供給管６６が設置されており、この冷水電磁弁６４を開くことで、冷水口６８から冷水の供給が可能となる。
【００４２】
また、冷水タンク４４の下方には、第２のタンクである温水タンク７０が設置されており、この温水タンク７０には、加熱手段として温水ヒータ７２や、この温水ヒータ７２の空焚きを検出する空焚安全装置７４等が設置されている。後述する洗浄処理では、この温水ヒータ７２を利用して洗浄水４を加熱する。
【００４３】
この温水タンク７０には、分離板４６の中央上面に設けられた開口部７６から冷水タンク４４の底面を貫通して温水タンク７０内に飲料水３６を流す給水管７８が設置されている。供給された飲料水３６が冷水タンク４４内に溜まっていき、その水位が分離板４６の高さまで達すると、その後に供給される飲料水３６は分離板４６にある開口部７６から給水管７８を通って温水タンク７０内に溜まっていく。
【００４４】
また、温水タンク７０の上部には、温水電磁弁８０を備えた温水供給管８２が設置されており、この温水電磁弁８０を開くことで、温水口８４から温水の供給が可能となる。
【００４５】
この冷水口６８及び温水口８４の下方には、給水時にコップ等を載置でき、また、冷水口６８や温水口８４から滴る飲料水３６を受けるためのトレイ８６（図３）が設置されている。
【００４６】
温水タンク７０には、溜まった飲料水３６等の温度を検出する第２の温度検出手段である温水センサ８８が設置されている。この温水センサ８８は、上記の冷水センサ６２と同様に、温度検出が可能な構成であればよい。
【００４７】
また、冷水タンク４４の底面と温水タンク７０の上面との間には、給水管７８と平行に、飲料水３６の送受が可能なバイパス管路９０が備えられており、このバイパス管路９０上には、飲料水３６の流れを制御するバイパス弁９２が備えられている。このバイパス弁９２は、例えば、電磁弁等で構成されている。
【００４８】
係る構成により、この冷温水器１０では、温水タンク７０内の飲料水３６の温度と、冷水タンク４４内の飲料水３６の温度との温度差を利用して、熱対流による飲料水３６の循環を実行させることもできる。
【００４９】
また、この冷温水器１０には、制御手段として、電装基板からなる操作盤９４が設置されており、この操作盤９４には操作部や制御部が設置され、冷水センサ６２や温水センサ８８による検出温度情報を取り込むとともに、冷却制御や加熱制御、その他表示制御等が行われる。この操作盤９４にはプラグ９５により例えば、１００〔Ｖ〕の交流電源が接続される。
【００５０】
その他、温水タンク７０の底部には、冷温水器１０から飲料水３６等を外部に排水する排水管９６が設置されており、この配水管９６には、排水量等を制御する排水栓９８が備えられ、排水口１００からの排水を管理している。
【００５１】
次に、加熱洗浄装置を利用して冷温水器を洗浄する加熱洗浄システムについて、図３を参照する。図３は、加熱洗浄システムの構成を示す図である。なお、図３において、図１及び図２と同一部分には同一符号を付してある。
【００５２】
この加熱洗浄システム１０１は、既述の加熱洗浄装置２と冷温水器１０とを備え、加熱洗浄装置２の冷水パイプ１４の先端部に構成された往き接続口１０４に冷温水器１０の冷水口６８を接続し、また、温水パイプ１６の先端部に構成された戻り接続口１０６に温水口８４を接続して循環路を形成する。即ち、タンク６内で加熱された洗浄水４は、冷水パイプ１４、往き接続口１０４を経て、冷温水器１０内に導かれ、冷水タンク４４、給水管７８、温水タンク７０を循環した後、温水口８４から戻り接続口１０６を通って、加熱洗浄装置２のタンク６へと戻す、冷温水器１０内の洗浄を行うシステムである。
【００５３】
また、この加熱洗浄システム１０１では、加熱洗浄装置２に設置された循環温度センサ１８、冷温水器１０に設置された冷水センサ６２、温水センサ８８のいずれか、又はこれらの組み合わせにより、洗浄処理中の洗浄水４の温度を検出している。そして、検出した温度に応じて、冷温水器１０に設置されている温水ヒータ７２を作動させて、洗浄水４を所定温度に維持させている。
【００５４】
加熱洗浄システム１０１における洗浄処理において、冷温水器１０では、準備処理として、冷温水器１０に設置されていたガロンボトル３８や天上板４０を外し、冷温水器１０の天上部分に冷水タンク蓋１０２を設置する。また、冷温水器１０の内部に残っている飲料水３６を抜き取り、その後、洗浄水４を満たしている。
【００５５】
斯かる構成において、加熱洗浄装置２で加熱された洗浄水４を冷温水器１０との間で循環させ、また、この洗浄水４の温度を所定の温度に維持管理することで、最適な洗浄温度での洗浄処理を行うことが可能となる。
【００５６】
次に、第１の実施の形態に係る加熱洗浄装置の制御基板について図４を参照する。図４は、加熱洗浄装置の制御基板の構成を示すブロック図である。
【００５７】
操作盤２２（図１）内に納められた制御基板１０８は、加熱洗浄装置２の運転制御を行う制御装置１１０や、動作指示等を入力する操作手段や運転状態を示す表示手段を備えた操作・表示部１１２で構成されている。操作・表示部１１２には、例えば、加熱洗浄装置２の動作指示を入力する運転ＳＷ２４、加熱洗浄装置２が運転中であることを示す表示手段である運転ランプ２６、空焚き状態等の異常状態を報知するアラームランプ２８等で構成されている。
【００５８】
制御装置１１０は、例えば、マイクロコンピュータ等で構成されており、循環温度センサ１８からの検出情報や運転ＳＷ２４からの動作指示等を検出する検出回路１１４、加熱洗浄装置２の動作制御に関する演算等を行う中央演算部１１６、加熱洗浄装置２の各部への制御出力を行う駆動回路１１８等で構成されている。中央演算部１１６は、例えば、プロセッサ１２０、制御プログラム等を記憶する記憶領域であるＲＯＭ（Read-Only memory) １２２、各種パラメータ等を一時的に記憶するとともに演算処理を行う処理領域であるＲＡＭ（Radom-Access memory ）１２４、１又は複数の計時を行う計時手段であるタイマー１２６等を備えている。
【００５９】
また、プロセッサ１２０は、例えば、ＣＰＵ（Central Processing Unit ）又はＭＰＵ（Micro Processor Unit）で構成され、ＲＯＭ１２２に格納されている動作プログラム等を実行する。
【００６０】
そして、中央演算部１１６から出力した制御出力が、駆動回路１１８を介して電気ヒータ８、循環ポンプ１２への運転制御として、また、運転ランプ２６、アラームランプ２８への発光制御として出力される。
【００６１】
次に、第１の実施の形態に係る冷温水器の制御装置について、図５を参照する。図５は、冷温水器の制御装置の構成を示すブロック図である。
【００６２】
操作盤９４（図２）内に納められた制御基板１３０は、例えば、マイクロコンピュータ等からなる制御装置１３２で構成されており、この制御装置１３２は、動作指示等を入力する操作手段や運転状態を示す表示手段を備えた操作・表示部１３４が接続されている。この制御装置１３２は、冷温水器１０の動作制御等に関する演算を行う中央演算部１３６、温水センサ８８や冷水センサ６２からの検出信号を受信する検出回路１３８、操作・表示部１３４にあるタイマー時計ボタン１４０１、スタート／ストップボタン１４０２、設定ボタン１４０３、給水ボタン１４０４、ロック解除ボタン１４０５、給湯ボタン１４０６、冷水設定ボタン１４０７、高温設定ボタン１４０８、省エネボタン１４０９、その他のボタン１４１０、１４１１等からの動作入力のインターフェースである入力回路１５０、操作・表示部１３４に備えられた表示部として、８５℃ランプ１６０１、８℃ランプ１６０２、高温ランプ１６０３、表示部１６０４、１２℃ランプ１６０５、その他のランプ１６０６、１６０７、１６０８への表示指示や温水ヒータ７２やコンプレッサ５２等への動作指示を発信する駆動回路１７０で構成されている。
【００６３】
この中央演算部１３６は、例えば、プロセッサ１７２、制御プログラム等を記憶する記憶領域であるＲＯＭ１７４、各種パラメータ等を一時的に記憶するとともに演算処理を行う処理領域であるＲＡＭ１７６、１又は複数の計時を行う計時手段であるタイマー１７８等を備えている。
【００６４】
また、プロセッサ１７２は、例えば、ＣＰＵ又はＭＰＵで構成され、ＲＯＭ１７４に格納されている動作制御のプログラムを実行する。
【００６５】
次に、冷温水器の操作・表示部の構成について、図６を参照する。図６は、冷温水器の操作・表示部の一例を示す図である。図６において、図５と同一部分には同一符号を付してある。
【００６６】
この表示・操作部１３４には、時刻等を表示する表示部１６０４、値を加算するための加算ボタン１４１０、値を減算するための減算ボタン１４１１、設定モードへの切替えやその解除を行うための設定ボタン１４０３、省エネモードへの切替えやその解除を行うための省エネボタン１４０９、タイマー１７８や時刻を調整するためのタイマー／時計ボタン１４０１、スタート又はストップを行うためのスタート／ストップボタン１４０２、強制温度変更スイッチの一例として通常運転とは異なる高温設定の指令又はその解除を行うための高温設定ボタン１４０８、強制温度変更ボタンの一例として通常運転とは異なる冷水設定の指令又はその解除を行うための冷水設定ボタン１４０７、給湯を指令するための給湯ボタン１４０６、給湯や給水のロック解除を指令するためのロック解除ボタン１４０５、給水を指令するための給水ボタン１４０４が設置されている。また、高温設定ボタン１４０８の近傍には、通常運転時の設定温度である例えば、８５〔℃〕が点灯によって表示する８５℃ランプ１６０１、強制高温時に点灯によって表示する高温ランプ１６０３が設置され、これらはＬＥＤ（Light Emitting Diode）等のランプで構成されている。冷水設定ボタン１４０７の近傍には、第１の冷水設定温度例えば、８〔℃〕であることを点灯によって表示する８℃ランプ１６０２、第２の冷水設定温度例えば、１２〔℃〕であることを点灯によって表示する１２℃ランプ１６０５が設置され、また、高温水循環による清浄化処理中であることをユーザに報知する自動洗浄モードランプ１６０８が設置され、これらもＬＥＤ等のランプで構成されている。
【００６７】
次に、冷温水器１０の通常使用時における制御装置１３２による制御方法及び操作手順について説明する。
【００６８】
Ａ  初期準備
【００６９】
冷温水器１０の電源投入後、冷却装置５０のコンプレッサ５２を始動させ、冷媒管５８内に冷媒を循環させて、冷水タンク４４内の冷却を開始させる。冷却開始により冷水設定の８℃ランプ１６０２を、例えば橙色に点灯させる。そして、冷水センサ６２の検出温度が設定温度の８〔℃〕に達すると、８℃ランプ１６０２を例えば、緑色に点灯させる。
【００７０】
次に、操作・表示部１３４のスタート／ストップボタン１４０２の長押しの検出により、８５℃ランプ１６０１を例えば、橙色で点灯させ、温水ヒータ７２を始動させて、温水タンク７０内の飲料水３６を加熱する。設定温度の８５〔℃〕になると、８５℃ランプ１６０１を例えば、緑色に点灯させる。
【００７１】
Ｂ  給水動作
【００７２】
給湯要求について説明する。給湯処理の構造は、いわゆるチャイルドロック構造となっており、ロック解除ボタン１４０５の押下を検出すると、ロック解除ランプ１６０６を点滅表示させる。続いて、給湯ボタン１４０６の押下検出により、温水電磁弁８０へと開指示を出力する。給湯ボタン１４０６の押下時間に応じて、温水電磁弁８０が開状態となるように制御している。
【００７３】
また、冷水の給水要求についても同様に、ロック解除ボタン１４０５の押下を検出し、給水ボタン１４０４の押下を検出したら、給水ボタン１４０４の押下時間に応じて、冷水電磁弁６４が開状態となるように制御している。
【００７４】
Ｃ  給湯・給水の温度設定変更
【００７５】
高温設定又は冷水設定を変更したい場合は、高温設定ボタン１４０８又は冷水設定ボタン１４０７の押下により、温水又は冷水の設定温度を変更させる。高温設定の「高温」は、例えば、９３〔℃〕に設定されている。
【００７６】
Ｄ  省エネモード
【００７７】
省エネボタン１４０９の押下を検出すると、高温設定は６５℃に温度設定され、冷水設定は１２℃に温度設定される。これにより、例えば、冷温水器１０の使用がほとんど無い時間帯等に省エネモードに設定することで、電気使用量を低減することが出来る。
【００７８】
次に、洗浄処理に関し、加熱洗浄装置及び冷温水器の操作手順等について、図７を参照する。図７は、加熱洗浄装置と冷温水器との接続操作を示す図である。図７において、図１〜図３と同一部分には同一符号を付してある。
【００７９】
Ｅ  冷温水器の洗浄前の準備
【００８０】
まず、冷温水器１０に設置されたガロンボトル３８を取り外し、操作・表示部１３４の給水ボタン１４０４を押下して、冷水タンク４４内に残っている飲料水３６を冷水口６８から排出する。
【００８１】
次に、天上板４０やトレイ８６を外し、冷水タンク４４に洗浄水４を入れ、メンテナンス用の冶具である冷水タンク蓋１０２を冷温水器１０の天井部に設置する。
【００８２】
Ｆ  加熱洗浄装置側の動作処理
【００８３】
加熱洗浄装置２のタンク６や循環ポンプ１２内に洗浄水４を入れ、加熱洗浄装置２の往き接続口１０４と冷温水器１０の冷水口６８、戻り接続口１０６と温水口８４とをそれぞれ接続する。
【００８４】
Ｇ  冷温水器の動作処理
【００８５】
電源投入後、洗浄処理モードとして設定された「訪問メンテモード」への移行操作として、例えば、冷温水器１０の操作・表示部１３４のタイマー時計ボタン１４０１、スタート／ストップボタン１４０２、設定ボタン１４０３を同時に押すと、表示部１６０４に「START 」が表示される。そして、温水電磁弁８０及び冷水電磁弁６４を開状態にする。また、コンプレッサ５２の動作を停止させ、温水ヒータ７２を作動させて、温水タンク７０内の洗浄水４を加熱する。沸き上がりの設定温度（上限温度）Ｔ１として、例えば、９５℃に設定されている。
【００８６】
Ｈ  加熱洗浄装置の動作処理
【００８７】
加熱洗浄装置２では、電源投入後、運転ＳＷ２４が押下されると運転ランプ２６が、例えば、緑色に点灯する。そして、循環ポンプ１２を作動させるとともに、電気ヒータ８をＯＮにして、タンク６内の洗浄水４を加熱する。
【００８８】
この場合、例えば、タンク６内が空焚き状態であることを空焚ＳＷ２０が検知した場合、電気ヒータ８を停止させる。この場合にも、循環ポンプ１２は動作を続ける。
【００８９】
循環温度センサ１８の温度検出により、洗浄水４の温度が洗浄温度Ｔ２として、例えば、９３℃以上となった場合、電気ヒータ８を停止させる。その後、洗浄時間である所定時間Ｐ１として例えば、３分間が経過したら、循環ポンプ１２を停止させる。このとき、運転ランプ２６を消灯させる。
【００９０】
Ｉ  冷温水器の洗浄処理の終了操作
【００９１】
「訪問メンテモード」の解除操作として、例えば、操作・表示部１３４のタイマー時計ボタン１４０１、スタート／ストップボタン１４０２、設定ボタン１４０３が同時に押下されると、温水ヒータ７２が停止し、バイパス弁９２を開状態にして、洗浄処理が終了となる。
【００９２】
Ｊ  加熱洗浄装置の取り外し
【００９３】
冷温水器１０の洗浄終了処理が行われたら、加熱洗浄装置２内にある洗浄水４の排水処理を行う。加熱洗浄装置２の排水栓３２を開状態にし、洗浄水４を排水する。排水が終了したら、往き接続口１０４及び戻り接続口１０６を冷温水器１０から取り外す。  
【００９４】
Ｋ  冷温水器の排水処理及び設置手順
【００９５】
加熱洗浄装置２を取り外した後、冷温水器１０内にある洗浄水４の排水を行う。排水栓９８を開状態にし、温水タンク７０内及び冷水タンク４４内の洗浄水４を排水する。
【００９６】
次に、冷温水器１０の電源を抜き、温水口８４、冷水口６８をアルコール等で洗浄処理する。また、冷水タンク蓋１０２を外し、天上板４０、トレイ８６を取り付け、ガロンボトル３８をセットする。そして、冷温水器１０の電源を投入し、操作・表示部１３４のスタート／ストップボタン１４０２を押し、給水可能状態に戻す。
【００９７】
次に、この冷温水器の洗浄処理制御について、図８を参照する。図８は、第１の実施の形態における冷温水器の制御処理を示すフローチャートである。
【００９８】
この洗浄処理では、加熱洗浄装置２で加熱された洗浄水４について、冷水タンク４４内の洗浄水４の温度が、洗浄の条件を満たす所定温度に達しているか否かを判断し、この判断結果に応じて、温水ヒータ７２の動作制御を行う。
【００９９】
まず、電源が投入されると、冷温水器１０では初期設定を行う（ステップＳ１）。この初期設定は、既述した「Ｅ  冷温水器の洗浄前の準備」に対応するものであり、ガロンボトル３８の取り外し、飲料水３６の排出、天上板４０やトレイ８６の取り外しを行うとともに、冷水タンク蓋１０２の設置を行う。
【０１００】
また、電源投入とともにタイマー１７８をスタートさせ（ステップＳ２）、洗浄処理への移行制限時間の所定時間Ｐ２として、例えば、５分間の計時を行う。そして、所定時間Ｐ２が経過したか否かの判断を行う（ステップＳ３）。この所定時間Ｐ２が経過する前に（ステップＳ３のＮＯ）、既述の「訪問メンテモード」への移行操作が行われた場合（ステップＳ４のＹＥＳ）、冷温水器１０は洗浄処理モードへと移行する。この「訪問メンテモード」への移行制限時間は、例えば、この制限時間外に誤って洗浄処理モードへの移行操作を行っても、給水ができなくなるのを防止するものである。
【０１０１】
また、所定時間Ｐ２が経過した場合（ステップＳ３のＹＥＳ）、「訪問メンテモード」への切り替えが行われない場合（ステップＳ４のＮＯ）は、通常運転モードになり、温水タンク７０及び冷水タンク４４内の飲料水３６の温度管理（ステップＳ５、ステップＳ６）を行う。この温度管理は、温水タンク７０や冷水タンク４４に設定された所定温度を維持する。例えば、温水側では、温水センサ８８の計測結果に応じて温水ヒータ７２を作動させる。また、冷水側では、冷水センサ６２による計測結果に応じてコンプレッサ５２を作動させる。
【０１０２】
「訪問メンテモード」に移行すると、コンプレッサ５２をＯＦＦにし（ステップＳ７）、温水電磁弁８０を開状態にする（ステップＳ８）とともに、冷水電磁弁６４を開状態にする（ステップＳ９）。これにより、冷温水器１０と加熱洗浄装置２とが接続状態となり、加熱された洗浄水４が冷温水器１０側を循環する。
【０１０３】
次に、「訪問メンテモード」が維持されているか否かの判断に移行する（ステップＳ１０）。「訪問メンテモード」が維持されている場合（ステップＳ１０のＹＥＳ）には、温水センサ８８により、温水タンク７０内の洗浄水４の温度ＴＨｈが洗浄処理の下限温度Ｔ３として、例えば、９３℃以上であるか否かの判断を行う（ステップＳ１１）。洗浄水４の温度ＴＨｈが下限温度Ｔ３以上（ステップＳ１１のＹＥＳ）の場合には、冷温水器１０内の全ての配管を洗浄するために、バイパス弁９２を開状態にする（ステップＳ１２）。
【０１０４】
また、温水タンク７０内の洗浄水４の温度ＴＨｈが、沸き上がり状態となる上限温度Ｔ１として例えば、９５℃より高いか否かの判断に移行する（ステップＳ１３）。そして、温水タンク７０内の洗浄水４の温度ＴＨｈが上限温度Ｔ１より高い場合（ステップＳ１３のＹＥＳ）には、温水ヒータ７２をＯＦＦにし（ステップＳ１４）、ステップＳ１０へと戻る。温水タンク７０内の洗浄水４の温度ＴＨｈが上限温度Ｔ１より低い場合（ステップＳ１３のＮＯ）も、再びステップＳ１０に戻る。
【０１０５】
また、温水タンク７０内の洗浄水４の温度ＴＨｈが洗浄処理の下限温度Ｔ３より低い場合（ステップＳ１１のＮＯ）には、温水ヒータ７２をＯＮにし（ステップＳ１５）、再び、「訪問メンテモード」が維持されているかの判断（ステップＳ１０）に戻る。即ち、温水タンク７０内の温度管理処理であるステップＳ１１〜ステップＳ１５は、「訪問メンテモード」が解除されるまで繰返し行われる。
【０１０６】
「訪問メンテモード」が解除されると（ステップＳ１０のＮＯ）、洗浄の終了処理を行う。そこで、冷温水器１０内の洗浄水４を排水するため、温水ヒータ７２をＯＦＦにする（ステップＳ１６）、また、この段階でバイパス弁９２が開状態となっていない場合に備えて、バイパス弁９２を開状態にする（ステップＳ１７) 。これにより、冷温水器１０から洗浄水４の排水が行われる。排水処理が行われると、冷温水器１０の電源をＯＦＦにする。なお、「訪問メンテモード」に入った場合、通常動作との誤作動を防止するため、電源を入れ直さない限り、通常モードでの使用ができないようにしてもよい。
【０１０７】
次に、洗浄処理に関し、加熱洗浄装置の制御について、図９を参照する。図９は、第１の実施の形態における加熱洗浄装置の制御処理を示すフローチャートである。
【０１０８】
この洗浄処理では、加熱洗浄装置２による洗浄水４の加熱処理及び冷温水器１０との循環処理において、循環温度センサ１８による検出温度が所定温度に達しているか否かを判断し、この判断結果に応じて、電気ヒータ８や循環ポンプ１２の動作制御を行う。
【０１０９】
電源が投入されると、初期設定として、高温検知済みフラグをリセットする（ステップＳ２１）とともに、予備循環済みフラグに運転ＳＷ２４が切り替わった時点（第１段階）を示すものとして、例えば、０をセットする（ステップＳ２２）。
【０１１０】
次に、運転ＳＷ２４がＯＮとなっているか否かの判断を行う（ステップＳ２３）。運転ＳＷ２４がＯＦＦの場合（ステップＳ２３のＮＯ）には、循環ポンプ１２及び電気ヒータ８をＯＦＦにする（ステップＳ２４、ステップＳ２５）とともに、電源投入時と同様に高温検知済みフラグをリセットし（ステップＳ２６）、予備循環済みフラグに第１段階を示すものとして、例えば、０をセットし（ステップＳ２７）、再びステップＳ２３の判断に戻る。この処理は、運転ＳＷ２４がＯＦＦ状態の間、繰返し行われる。
【０１１１】
運転ＳＷ２４がＯＮとなっている場合（ステップＳ２３のＹＥＳ）、予備循環済みのフラグの種類の判断に移行する（ステップＳ２８）。ここで、運転ＳＷ２４が切り替わった時点（第１段階）を示すフラグである場合（ステップＳ２８の０）には、循環ポンプ１２、電気ヒータ８をＯＮにする（ステップＳ２９、ステップＳ３０）。
【０１１２】
次に、予備循環済みフラグに、循環温度を検出しない予備循環を行う処理（第２段階）を示すものとして、例えば、１をセットし（ステップＳ３１）、この予備循環のためのタイマー１２６をスタートさせ（ステップＳ３２）、予備循環時間の所定時間Ｐ３として、例えば、３分間を設定し、ステップＳ２３に戻る。この予備循環は、運転ＳＷ２４をＯＮさせた直後では、冷温水器１０と加熱洗浄装置２との間で十分な循環が行われていないため、洗浄水４に高温部分や低温部分が混在し、循環温度センサ１８による検出温度が不安定なものとなるおそれがあるので、所定時間Ｐ３の猶予を設定したものである。
【０１１３】
次に、予備循環済みフラグの種類の判断（ステップＳ２８）において、循環温度を検出しない予備循環を行う処理（第２段階）として、例えば、１がセットされていると判断した場合（ステップＳ２８の１）には、所定時間Ｐ３が経過したか否かの判断に移行する（ステップＳ３３）。所定時間Ｐ３が経過していない場合（ステップＳ３３のＮＯ）には、ステップＳ２３に戻る。また、所定時間Ｐ３が経過している場合（ステップＳ３３のＹＥＳ）には、予備循環の終了（第３段階）を示すフラグとして、予備循環済みフラグに、例えば、２をセットする（ステップＳ３４）。
【０１１４】
予備循環済みフラグの設定の後、高温検知済みか否かの判断に移行する（ステップＳ３５）。高温検知を行っていない場合（ステップＳ３５のＮＯ）には、高温検知に移行する（ステップＳ３６）。この高温検知は、循環温度センサ１８による洗浄水４の検出温度が、設定された所定の洗浄温度Ｔ２として、例えば、９３℃以上か否かの判断を行う。
【０１１５】
そして、検出温度が所定の洗浄温度Ｔ２以上である場合（ステップＳ３６のＹＥＳ）には、電気ヒータ８をＯＦＦにし（ステップＳ３７）、高温検出済みフラグをセットし（ステップＳ３８）、本番の循環洗浄に移行する。この洗浄時間の所定時間Ｐ１として、例えば、３分間の計時を行うため、タイマー１２６をスタートさせ（ステップＳ３９）、ステップＳ２３に戻る。
【０１１６】
次に、予備循環済みフラグの種類の判断（ステップＳ２８）において、予備循環の終了（第３段階）を示すフラグがセットされていると判断した場合（ステップＳ２８の２）、高温検知済みがセットされているか否かの判断に移行する（ステップＳ３５）。既にステップＳ３８で高温検知済みがセットされている場合（ステップＳ３５のＹＥＳ）には、所定時間Ｐ１が経過しているか否かの判断に移行する（ステップＳ４０）。既に所定時間Ｐ１が経過している場合（ステップＳ４０のＹＥＳ）には、循環ポンプ１２をＯＦＦにし（ステップＳ４１）、操作・表示部１１２に洗浄処理が終了したことを報知する（ステップＳ４２）。
【０１１７】
斯かる構成により、冷温水器１０の洗浄処理において、高温の洗浄水による洗浄が行うことができる。また、冷温水器１０に内蔵されている温水ヒータ７２のみを用いた洗浄処理に比べて、より洗浄時間を短縮できるほか、より簡易な制御処理で洗浄を行うことが可能となる。
【０１１８】
〔第２の実施の形態〕
【０１１９】
次に、本発明の第２の実施の形態について、図１０を参照する。図１０は、第２の実施の形態に係る加熱洗浄システムを示す図である。図１０において、図１〜図３と同一部分には、同一符号を付してある。
【０１２０】
第１の実施の形態では、洗浄処理を行う際に、加熱洗浄装置２及び冷温水器１０に対して、それぞれ設定操作を行う構成であるが、この第２の実施の形態では、冷温水器１０の制御装置で加熱洗浄装置２を制御する構成である。
【０１２１】
この加熱洗浄システム１９０では、図１０に示すように、加熱洗浄装置２の操作盤２００に接続された信号線２０２と冷温水器１０の操作盤３００に接続された信号線３０２とが中継コネクタ４００で接続されている。また、この中継コネクタ４００は、各送受信回路２０８、３０８を接続させる手段であるとともに、各信号線２０２、３０２の接続状態を監視する監視手段でもある。また、その他の構成について、第１の実施の形態に係る加熱洗浄システム１０１（図３）と同一の構成部分には同一の符号を付し、その説明を省略する。
【０１２２】
斯かる構成により、この加熱洗浄システム１９０では、加熱洗浄装置２と冷温水器１０との接続状態を監視し、接続を確認すれば、冷温水器１０からの制御指示により、加熱洗浄装置２の動作制御を行う。
【０１２３】
次に、第２の実施の形態に係る加熱洗浄システムの加熱洗浄装置と冷温水器の制御装置について、図１１、図１２及び図１３を参照する。図１１は、加熱洗浄装置の制御基板の構成を示す図であり、図１２は、冷温水器の制御基板の構成を示す図であり、図１３は、加熱洗浄装置の制御装置と冷温水器の制御装置との接続状態を示す図である。図１１〜図１３において、図４及び図５と同一部分には同一符号を付してある。
【０１２４】
この加熱洗浄装置２の制御基板２０４に備えられた制御装置２０６には、図１１に示すように、冷温水器１０の制御装置３０６との制御信号を送受信するための送受信回路２０８が設置されており、この送受信回路２０８は中央演算部１１６に接続されている。斯かる構成により、電気ヒータ８や循環ポンプ１２に対する制御指示が冷温水器１０の制御装置３０６から送信されることになる。また、加熱洗浄装置２が冷温水器１０の制御指示により動作することから、操作・表示部２１０には、個別の操作ボタンを簡略化する構成としてもよい。
【０１２５】
また、冷温水器１０の制御基板３０４に備えられた制御装置３０６には、図１２に示すように、加熱洗浄装置２の制御装置２０６との制御信号の送受信を行うための送受信回路３０８が設置されており、この送受信回路３０８は、中央演算部１３６に接続されている。
【０１２６】
加熱洗浄装置２の制御装置２０６と冷温水器１０の制御装置３０６との接続状態は、図１３に示すように、それぞれの送受信回路２０８、３０８が中継コネクタ４００を介して制御信号を送受信する。
【０１２７】
次に、洗浄処理に関し、加熱洗浄装置及び冷温水器の操作手順等について説明する。
【０１２８】
Ｌ  冷温水器の洗浄前の準備
【０１２９】
まず、冷温水器１０に設置されたガロンボトル３８を取り外し、操作・表示部１３４の給水ボタン１４０４を押下して冷水電磁弁６４を開き、冷水タンク４４内に残っている飲料水３６を冷水口６８から排出する。
【０１３０】
次に、天上板４０やトレイ８６を外し、冷水タンク４４に洗浄水４を入れ、メンテナンス用の冶具である冷水タンク蓋１０２を冷温水器１０の天井部に設置する。
【０１３１】
Ｍ  加熱洗浄装置と冷温水器の管路接続
【０１３２】
加熱洗浄装置２のタンク６や循環ポンプ１２内に洗浄水４を入れ、加熱洗浄装置２の往き接続口１０４と冷温水器１０の冷水口６８、戻り接続口１０６と温水口８４をそれぞれ接続する。
【０１３３】
Ｎ  加熱洗浄装置と冷温水器との電気的接続
【０１３４】
加熱洗浄装置２の信号線２０２と冷温水器１０の信号線３０２とを中継コネクタ４００に接続する。
【０１３５】
Ｏ  冷温水器の動作処理
【０１３６】
電源投入後、洗浄処理モードとして設定された「訪問メンテモード」への移行操作として、例えば、スタート／ストップボタン１４０２を押すと、表示部１６０４に「ＳＴＡＲＴ」が表示される。そして、温水ヒータ７２を作動させて、温水タンク７０内の洗浄水４を加熱する。
【０１３７】
Ｐ  加熱洗浄装置の動作処理
【０１３８】
加熱洗浄装置２では、電源投入後、循環ポンプ１２を作動させるとともに、電気ヒータ８をＯＮにして、タンク６内の洗浄水４を加熱する。そして、タンク６内の洗浄水４は、冷水パイプ１４を通り、往き接続口１０４を介して冷水タンク４４に入り、給水管７８、温水タンク７０を通過して、温水口８４から出て加熱洗浄装置２へと戻る。
【０１３９】
加熱を続け、冷水タンク４４内の冷水センサ６２の温度検出により、洗浄水４の温度が洗浄温度Ｔ４として、例えば、９３℃以上となった場合、バイパス弁９２を開状態にするとともに、加熱洗浄装置２の電気ヒータ８をＯＦＦにする。このとき、洗浄水４の温度を維持させるため、冷温水器１０の温水ヒータ７２を稼動させるようにしてもよい。その後、洗浄時間の所定時間Ｐ４として、例えば、３分間が経過したら、冷温水器１０の温水ヒータ７２と、加熱洗浄装置２の循環ポンプ１２を停止させる。このとき、操作・表示部１３４の表示部１６０４に「ＥＮＤ」が表示され、洗浄が終了したことを報知する。運転ランプ２６を消灯させる。
【０１４０】
Ｑ  加熱洗浄装置の取外し
【０１４１】
冷温水器１０の洗浄が処理したら、加熱洗浄装置２内にある洗浄水４の排水処理を行う。加熱洗浄装置２の排水栓３２を開状態にし、排水口３４から洗浄水４を排水する。次に、加熱洗浄装置２の電源を抜き、中継コネクタ４００から信号線２０２を外す。そして、往き接続口１０４と戻り接続口１０６を冷温水器１０から取り外す。
【０１４２】
Ｒ  冷温水器の排水処理及び設置手順
【０１４３】
加熱洗浄装置２を取り外した後、冷温水器１０内にある洗浄水４の排水を行う。排水栓９８を開状態にし、温水タンク７０及び冷水タンク４４内の洗浄水４を排水する。
【０１４４】
次に、冷温水器１０の電源を抜き、温水口８４、冷水口６８をアルコール等で洗浄処理する。また、冷水タンク蓋１０２を外し、天上板４０、トレイ８６を取り付け、ガロンボトル３８をセットする。そして、冷温水器１０の電源を投入し、操作・表示部１３４のスタート／ストップボタン１４０２の押下により、給水可能状態に戻す。
【０１４５】
次に、この冷温水器の洗浄処理制御について、図１４及び図１５を参照する。図１４は、第２の実施の形態における冷温水器の制御処理を示すフローチャートであり、図１５は、加熱洗浄装置の制御処理を示すフローチャートである。図１４及び図１５において、図８及び図９と同一処理については、その内容の説明を省略する。
【０１４６】
洗浄処理では、冷温水器１０の冷水タンク４４内の洗浄水４の温度に応じて、加熱洗浄装置２にある電気ヒータ８への動作制御を行う。
【０１４７】
冷温水器１０の動作制御は、図１４に示すように、電源が投入されると、既述した「Ｌ  冷温水器の洗浄前の準備」に示す初期設定を行う（ステップＳ５１）。次に、加熱洗浄装置２が外部に接続されているか否かを監視し（ステップＳ５２）、外部接続されていない場合（ステップＳ５２のＮＯ）は、通常の運転状態として、温水タンク７０及び冷水タンク４４内の温度管理を行う（ステップＳ５３、ステップＳ５４）。外部接続の監視は、例えば、監視手段でもある中継コネクタ４００からの情報を受信して、接続状態の監視を行うようにしてもよい。
【０１４８】
また、加熱洗浄装置２が外部接続されている場合（ステップＳ５２のＹＥＳ）は、コンプレッサ５２をＯＦＦにし（ステップＳ５５）、温水電磁弁８０及び冷水電磁弁６４を開状態にする（ステップＳ５６、ステップＳ５７）。
【０１４９】
次に、温水タンク７０内の洗浄水４の温度ＴＨｈが下限温度Ｔ３として、例えば、９３℃以上か否かを判断する（ステップＳ５８）とともに、上限温度Ｔ１として、例えば、９５℃より大きいか否かの判断を行う（ステップＳ５９）。この場合、温水タンク７０内の洗浄水４の温度ＴＨｈが下限温度Ｔ３より低い場合（ステップＳ５８のＮＯ）には、温水ヒータ７２をＯＮにし（ステップＳ６０）、上限温度Ｔ１よりも高い場合（ステップＳ５９のＹＥＳ）には、温水ヒータ７２をＯＦＦにする（ステップＳ６１）。即ち、この処理では、洗浄水４の最適温度として、例えば、９３℃以上９５℃以下になるように制御している。
【０１５０】
次に、冷温水器１０が洗浄処理を行う設定である「訪問メンテモード」になっているか否かの判断を行う（ステップＳ６２）。「訪問メンテモード」への移行は、例えば、既述のスタート／ストップボタン１４０２の押下により行われる。この「訪問メンテモード」が設定されることにより、加熱洗浄装置２との連動を開始する。
【０１５１】
「訪問メンテモード」が設定されている場合（ステップＳ６２のＹＥＳ）は、高温検知済みフラグがセットされているか否かの判断に移行する（ステップＳ６３）。高温検知済みフラグがセットされていない場合（ステップＳ６３のＮＯ）には、加熱洗浄装置２に対して、循環ポンプ１２にＯＮ指令を出し（ステップＳ６４）、また、電気ヒータ８にＯＮ指令を出す（ステップＳ６５）。
【０１５２】
次に、冷水センサ６２により、冷水タンク４４内の洗浄水４の温度ＴＨｃが、洗浄温度Ｔ４として、例えば、９３℃以上か否かの判断に移行する（ステップＳ６６）。そして、冷水タンク４４内の洗浄水４の温度ＴＨｃが、洗浄温度Ｔ４以上である場合（ステップＳ６６のＹＥＳ）には、加熱洗浄装置２に対し、電気ヒータ８をＯＦＦにする指令を出す（ステップＳ６７）。また、高温検出済みフラグをセットする（ステップＳ６８) とともに、循環洗浄時間の所定時間Ｐ４として、例えば、３分間を計時するために、タイマー１７８をスタートさせる（ステップＳ６９）。そして、再びステップＳ５２の処理に戻る。
【０１５３】
また、「訪問メンテモード」が設定されていない場合や解除された場合（ステップＳ６２のＮＯ）には、高温検知済みフラグがセットされていればリセットされ、（ステップＳ７０）、ステップＳ５２に戻る。
【０１５４】
また、上記の加熱洗浄装置２への制御指示を行うことで、高温検知済みフラグがセットされている場合（ステップＳ６３のＹＥＳ）には、所定時間Ｐ４が経過したか否かの判断に移行する（ステップＳ７１）。所定時間Ｐ４が経過していない場合（ステップＳ７１のＮＯ）には、再びステップＳ５２の処理に戻り、経過している場合（ステップＳ７１のＹＥＳ）には、加熱洗浄装置２に対して、循環ポンプ１２をＯＦＦにする指令を出す（ステップＳ７２）。また、冷温水器１０側には、温水ヒータ７２をＯＦＦにする指示を出す（ステップＳ７３) とともに、バイパス弁９２を開状態にして（ステップＳ７４) 、冷温水器１０の排水処理に移行する。この排水処理は、既述の「Ｒ  冷温水器の排水処理及び設置手順」に対応するものであり、所定時間Ｐ４が経過してから、冷温水器１０の電源がＯＦＦするまで行われる。
【０１５５】
次に、加熱洗浄装置２の制御処理では、図１５に示すように、電源が投入されると、冷温水器１０が外部接続されているか否かの判断を行う（ステップＳ８１）。冷温水器１０が接続されていない場合（ステップＳ８１のＮＯ）は、循環ポンプ１２及び電気ヒータ８をＯＦＦ状態に保つ（ステップＳ８２、ステップＳ８３）。
【０１５６】
また、中継コネクタ４００の接続情報により、冷温水器１０が接続されている場合（ステップＳ８１のＹＥＳ）は、冷温水器１０の制御装置３０６からの制御信号を受信しているか否かの判断を行い（ステップＳ８４）、制御信号を受信していない場合（ステップＳ８４のＮＯ）には、ステップＳ８１に戻る。
【０１５７】
また、冷温水器１０の制御装置３０６からの制御信号を受信している場合（ステップＳ８４のＹＥＳ）には、制御の種類を特定する（ステップＳ８５）。そして、この制御内容を表す信号の種類に応じて、電気ヒータ８のＯＮ／ＯＦＦ処理（ステップＳ８６、ステップＳ８７）、及び／又は、循環ポンプ１２のＯＮ／ＯＦＦ処理を行う（ステップＳ８８、ステップＳ８９）。
【０１５８】
斯かる構成により、洗浄処理において、加熱洗浄装置２と冷温水器１０とに対し、それぞれ個別に設定処理や操作が不要となり、操作性の向上を図ることができる。また、加熱洗浄装置２の構成の簡略化を図ることができ、この加熱洗浄装置２を用いた洗浄処理により、より短時間に冷温水器１０の洗浄処理が可能となる。
【０１５９】
〔その他の実施の形態〕
【０１６０】
(1) 上記実施の形態では、洗浄水４の循環手段である循環ポンプ１２を冷温水器１０に内蔵しない構成が開示されているが、これに限られるものではなく、循環ポンプを備えた冷温水器１０であってもよい。
【０１６１】
(2) 上記実施の形態では、加熱洗浄装置２に設けたタンク６内に洗浄水４を溜め、このタンク６内に設置した電気ヒータ８で洗浄水４を加熱する構成としたが、これに限られず、加熱洗浄装置２内にタンク６を持たない構成としてもよい。この場合、例えば、加熱洗浄装置２内の管路に加熱ヒータを設置して、管路内を流れる洗浄水４を加熱する構成としてもよい。斯かる構成によっても、上記の目的を達成することができる。
【０１６２】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１６３】
本発明は、冷却又は加熱した水を提供する冷温水器の洗浄処理に関し、加熱した洗浄水を循環させる加熱洗浄装置を利用することで、短時間に洗浄を行うことが可能となる。また、冷温水器内の洗浄水の温度監視に応じて、冷温水器側からの制御により加熱洗浄装置を制御することで、洗浄処理の作業性を向上させることができ、かつ、加熱洗浄装置の簡易化を図ることができ、有用である。
【図面の簡単な説明】
【０１６４】
【図１】第１の実施の形態に係る加熱洗浄装置の構成を示す図である。
【図２】第１の実施の形態に係る冷温水器の構成を示す図である。
【図３】第１の実施の形態に係る加熱洗浄システムを示す図である。
【図４】加熱洗浄装置の制御基板の構成を示すブロック図である。
【図５】冷温水器の制御基板の構成を示すブロック図である。
【図６】冷温水器の操作・表示部の一例を示す図である。
【図７】加熱洗浄装置と冷温水器との接続操作を示す図である。
【図８】第１の実施の形態に係る冷温水器の制御処理を示すフローチャートである。
【図９】第１の実施の形態に係る加熱洗浄装置の制御処理を示すフローチャートである。
【図１０】第２の実施の形態に係る加熱洗浄システムを示す図である。
【図１１】加熱洗浄装置の制御基板の構成を示す図である。
【図１２】冷温水器の制御基板の構成を示す図である。
【図１３】加熱洗浄装置の制御装置と冷温水器の制御装置の接続状態を示す図である。
【図１４】第２の実施の形態に係る冷温水器の制御処理を示すフローチャートである。
【図１５】第２の実施の形態に係る加熱洗浄装置の制御処理を示すフローチャートである。
【符号の説明】
【０１６５】
２  加熱洗浄装置
４  洗浄水
８  電気ヒータ
１０  冷温水器
１２  循環ポンプ
１８  循環温度センサ
４４  冷水タンク
６２  冷水センサ
６６  冷水供給管
７０  温水タンク
７２  温水ヒータ
８２  温水供給管
８８  温水センサ
１０１  加熱洗浄システム（第１の実施の形態）
１０４  往き接続口
１０６  戻り接続口
１０８  制御基板（加熱洗浄装置側）
１１２  操作・表示部（加熱洗浄装置側）
１３０  制御基板（冷温水器側）
１３４  操作・表示部（冷温水器側）
１９０  加熱洗浄システム（第２の実施の形態）
２０２  信号線（加熱洗浄装置側）
３０２  信号線（冷温水器側）                                                    ４００  中継コネクタ
【図１】
0005068124.tif 000002
【図２】
0005068124.tif 000003
【図３】
0005068124.tif 000004
【図４】
0005068124.tif 000005
【図５】
0005068124.tif 000006
【図６】
0005068124.tif 000007
【図７】
0005068124.tif 000008
【図８】
0005068124.tif 000009
【図９】
0005068124.tif 000010
【図１０】
0005068124.tif 000011
【図１１】
0005068124.tif 000012
【図１２】
0005068124.tif 000013
【図１３】
0005068124.tif 000014
【図１４】
0005068124.tif 000015
【図１５】
0005068124.tif 000016